【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
機器の保守間隔推定値を決定する方法であって、
前記機器に関連する第１の保守間隔推定値であって前記機器に関連する使用量メトリックに従って表現される前記第１の保守間隔推定値を提供することと、
前記機器の交換の指示を受信することと、
前記第１の保守間隔推定値に関連する基準時点から、前記機器の前記交換に関連する後の交換時点までの期間における前記機器の経過使用量を、前記機器に関連するセンサから受信したデータに基づいて、コンピュータシステムによって測定することと、
前記機器に関連する前記使用量メトリックに従って表現される第２の保守間隔推定値を前記機器の前記経過使用量に基づいて決定することと、
調整された保守間隔推定値を決定するために、前記機器の前記交換に関連する検出された故障又は予防保守に関連する調整パラメータに基づいて前記第２の保守間隔推定値を、前記コンピュータシステムによって繰り返し調整することと、
前記調整パラメータに基づいて、前記調整された保守間隔推定値がある期間における前記機器の前記経過使用量に向かって調整される程度を決定することと、
を含む、方法。
【請求項２】
前記機器の前記交換の理由の指示を受信することを更に含み、
前記第２の保守間隔推定値は、前記機器の前記交換の前記理由の前記指示に更に基づいている、請求項１に記載の方法。
【請求項３】
前記交換の前記理由は、予防であり、
前記第２の保守間隔推定値は、前記経過使用量と前記第１の保守間隔推定値との差に更に基づいている、請求項２に記載の方法。
【請求項４】
前記第２の保守間隔推定値は、ユーザ定義の調整パラメータに更に基づいている、請求項３に記載の方法。
【請求項５】
前記交換の前記理由は、前記機器の故障であり、
前記第２の保守間隔推定値は、ユーザ定義の故障パラメータに更に基づいている、請求項２に記載の方法。
【請求項６】
前記第２の保守間隔推定値は、前記ユーザ定義の故障パラメータと前記第２の保守間隔推定値との掛け算の積である、請求項５に記載の方法。
【請求項７】
前記交換の前記理由は、予防又は前記機器の故障のいずれかであり、
前記交換の前記理由が予防である場合、前記第２の保守間隔推定値と前記第１の保守間隔推定値との差が第１の値であり、
前記交換の前記理由が前記機器の故障である場合、前記第２の保守間隔推定値と前記第１の保守間隔推定値との前記差が第２の値であり、
前記第１の値は、前記第２の値よりも小さい、請求項２に記載の方法。
【請求項８】
前記経過使用量が前記第１の保守間隔推定値より大きいという決定に応答して、前記機器に関連するユーザへ通知を送信することを更に含む、請求項１に記載の方法。
【請求項９】
より低い使用量値及びより高い使用量値によって定義される使用量値の所定の範囲外に前記第２の保守間隔推定値があると決定することと、
前記第２の保守間隔推定値が前記より高い使用量値より大きいという決定に応答して、前記機器に関連するユーザへ通知を送信することと、を更に含む、請求項１に記載の方法。
【請求項１０】
前記第２の保守間隔推定値を決定することに応答して、前記機器の第２の交換の第２の指示を受信することと、
前記第２の保守間隔推定値に関連する第２の基準時点から、前記機器の前記第２の交換に関連する後の第２の交換時点までの期間中の前記機器の第２の経過使用量を測定することと、
前記機器に関連する前記使用量メトリックに従って表現される第３の保守間隔推定値を前記第２の保守間隔推定値及び前記機器の前記第２の経過使用量に基づいて決定することと、を更に含む、請求項１に記載の方法。
【請求項１１】
前記第２の保守間隔推定値を決定することは、前記第２の保守間隔推定値と前記第１の保守間隔推定値との負でない差がドリフト値よりも大きいという決定に応答しており、
前記ドリフト値は、前記第１の保守間隔推定値の所定のパーセントに基づいている、請求項１に記載の方法。
【請求項１２】
前記使用量メトリックは、
動作時間、
作動サイクル数、
動作サイクル数、
物品数、及び
材料の量のうちの少なくとも１つを含む、請求項１に記載の方法。
【請求項１３】
前記使用量メトリックは、
動作時間、
作動サイクル数、
動作サイクル数、
物品数、及び
材料の量のうちの少なくとも２つに基づいた総使用量メトリックを含む、請求項１に記載の方法。
【請求項１４】
前記機器の前記交換の前記指示及び前記機器の前記交換の理由の指示のうちの少なくとも１つは、ユーザ入力を介して受信される、請求項１に記載の方法。
【請求項１５】
機器の保守に関する通知を生成する方法であって、
前記機器に関連する第１の保守間隔推定値であって前記機器に関連する使用量メトリックに従って表現される前記第１の保守間隔推定値を前記機器の第１の経過使用量が超えるとことをコンピュータシステムによって決定することと、
前記第１の保守間隔推定値に関連する第１の時点に始まり、前記機器の前記第１の経過使用量が前記第１の保守間隔推定値を超えると決定することに関連する第２の時点で終了する第１の期間に及ぶ前記第１の経過使用量が前記第１の保守間隔推定値を超えていることを示す第１の通知を前記機器に関連するユーザへ送信することと、
前記機器の交換の失敗を決定することと、
前記機器の前記交換の前記失敗に関連する第２の通知を、前記機器に関連する前記ユーザへ送信することと、
前記機器の第２の経過使用量に基づいて第２の保守間隔推定値を前記コンピュータシステムによって決定することと、
調整された保守間隔推定値を決定するために、前記機器に関連する検出された故障又は予防保守に関連する調整パラメータに基づいて前記第２の保守間隔推定値を、前記コンピュータシステムによって繰り返し調整することと、
を含む、方法。
【請求項１６】
前記機器の前記交換の指示を受信することを更に含み、
前記機器の前記第２の経過使用量は、前記第１の保守間隔推定値に関連する前記第１の時点から前記機器の前記交換に関連する後の第３の時点までの第２の期間におけるものであり、前記第２の保守間隔推定値は、前記機器に関連する前記使用量メトリックに従って表現され、
前記調整パラメータに基づいて、前記調整された保守間隔推定値が前記第２の経過使用量に向かって調整される程度を決定することと、
を更に含む、請求項１５に記載の方法。
【請求項１７】
前記機器の交換の第２の失敗を決定することと、
前記機器の前記交換の前記第２の失敗に関連する第３の通知を前記機器に関連する前記ユーザへ送信することと、
を更に含み、
前記第２の通知を送信することと前記第３の通知を送信することとの間隔は、前記第１の通知を送信することと前記第２の通知を送信することとの間隔より大きい、請求項１５に記載の方法。
【請求項１８】
前記第３の通知の伝送媒体は、前記第１の通知及び前記第２の通知のうちの少なくとも１つの伝送媒体と異なる、請求項１７に記載の方法。
【請求項１９】
前記第３の通知は、前記第１の通知及び前記第２の通知のうちの少なくとも１つの受信者を介して更なるユーザへ送信される、請求項１７に記載の方法。
【請求項２０】
前記機器の交換の第３の失敗を決定することと、
前記機器の交換の前記第３の失敗に関連する第４の通知を、前記機器に関連する前記ユーザへ送信することと、
を更に含み、
前記第３の通知を送信することと前記第４の通知を送信することとの間隔は、前記第１の通知を送信することと前記第２の通知を送信することとの前記間隔よりも大きい、請求項１７に記載の方法。
【手続補正２】
【補正対象書類名】明細書
【補正対象項目名】００５７
【補正方法】変更
【補正の内容】
【００５７】
機器の故障に起因して機器が交換された場合、新たな保守間隔推定値２０４は、経過使用量２１４と、故障パラメータ２１６ｂなどオペレータ定義のパラメータとの乗積に基づいてもよい。故障パラメータ２１６ｂは、１未満の値であってもよく、したがって、新たな保守間隔推定値２０４は、経過使用量２１４の一部と等しくてもよい。一例として、新たな保守間隔推定値２０４は、以下の式に従って計算され得る。
ＭＩ＿ＮＥＷ＝Ｋ＿ＦＬＲ＊ＥＬ＿ＵＳＥ